【事件の表示】
　特願２０１４−５３３２１９「無線通信システムにおけるデータ送受信方法及び装置」拒絶査定不服審判事件〔平成２５年　４月　４日国際公開，ＷＯ２０１３／０４８２１６，平成２６年１２月　４日国内公表，特表２０１４−５３２３５０〕について，次のとおり審決する。
【結　論】
　本件審判の請求は，成り立たない。
【理　由】
第１　手続の経緯
　本願は，２０１２年９月２８日（パリ条約による優先権主張　外国庁受理　２０１１年９月３０日　米国，２０１２年３月７日　米国，２０１２年３月１３日　米国，２０１２年８月２３日　米国）を国際出願日とする出願であって，その手続の経緯は以下のとおりである。
平成２７年　９月２８日　　　手続補正書の提出
平成２８年１０月１３日付け　拒絶理由通知書
平成２９年　１月２４日　　　意見書及び手続補正書の提出
平成２９年　６月２０日付け　拒絶査定
平成２９年１０月２６日　　　拒絶査定不服審判の請求及び手続補正書の提出
平成３０年１２月　６日付け　拒絶理由通知書（当審）
平成３１年　３月１１日　　　意見書及び手続補正書の提出
第２　本願の特許請求の範囲
　平成３１年３月１１日に提出された手続補正書により補正された特許請求の範囲の請求項１及び２には，以下の事項が記載されている。
　「【請求項１】
　ＣｏＭＰ方式をサポートする無線通信システムにおける受信機がデータを受信する方法であって，
　上位階層シグナリングを介して物理ダウンリンク共有チャンネル（ＰＤＳＣＨ）の複数の開始位置に対応する複数の値を含む構成情報を受信するステップと，
　物理ダウンリンク制御チャンネル（ＰＤＣＣＨ）で前記ＰＤＳＣＨの複数の値のうちの一つの値を示す情報フィールドを含むダウンリンク制御情報を受信するステップと，
　前記情報フィールドによって示される前記一つの値に基づいて，前記ＰＤＳＣＨの開始位置を決定するステップと，
　前記決定された開始位置に基づいて，前記ＰＤＳＣＨでデータを受信するステップとを含むことを特徴とするデータ受信方法。
　　【請求項２】
　前記複数の値は，
　セル特定基準信号（ＣＲＳ）構成及びＭＢＳＦＮサブフレーム構成の少なくとも一つに関連することを特徴とする請求項１に記載の方法。」
第３　当審の拒絶理由通知書の概要
　当審の拒絶理由である，平成３０年１２月６日付け拒絶理由通知の理由（以下，「当審拒絶理由」という。）は，概略，次のとおりのものである。
「 １．（サポート要件）この出願は，特許請求の範囲の記載が下記の点で，特許法第３６条第６項第１号に規定する要件を満たしていない。 
（中略）  
 ３．（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。 」
　ここで，理由１（サポート要件）についての請求項１，２に関する具体的内容（抜粋）は以下のとおりである。
　「請求項１の「物理ダウンリンク共有チャンネル（ＰＤＳＣＨ）の複数の開始位置を確認するための情報を含む構成情報を受信するステップ」との記載に関し，（中略）発明の詳細な説明においても「複数の開始位置を確認するための情報」，及び，「複数の開始位置を確認するための情報を含む構成情報」に対応する記載は存在せず，発明の詳細な説明との対応関係が不明である。（サポート要件） 
 　よって，（中略）請求項１に係る発明は発明の詳細な説明に記載されたものでない。 
 　請求項１を引用する請求項２（中略）についても同様である。」
　そして，理由３（進歩性）について，補正前の請求項１に対しては，下記引用例４，５が引用されている。
引用例４　NTT DOCOMO, Investigation of Specification Impact for Rel. 11 CoMP, 3GPP TSG RAN WG1 #66 R1-112600, 2011.8.16掲載, URL: http://www.3gpp.org/ftp/tsg_ran/WG1_RL1/TSGR1_66/Docs/R1-112600.zip
引用例５　3GPP, 3rd Generation Partnership Project; Technical Specification Group Radio Access Network; Evolved Universal Terrestrial Radio Access (E-UTRA); Physical layer procedures (Release 10), 3GPP TS 36.213 V10.0.0 (2010-12), 2010.12.22掲載, URL: http://www.3gpp.org/ftp/Specs/archive/36_series/36.213/36213-a00.zip
第４　当審の判断
１　サポート要件について
（１）　本願の発明の詳細な説明の記載
　本願の発明の詳細な説明には，以下の記載がある。（なお，下線は当審が付与した。）
　「【００５７】
　第１タイプの情報，第２タイプの情報，第３タイプの情報が上位シグナリングでＵＥに転送された後，ＣｏＭＰ転送が幾つのセルとどんなセルでなされるかに対する情報がＵＥに転送できる。この場合，ＵＥはどんな無線資源がＰＤＳＣＨの転送に用いられるかを判断できるようになる。
　【００５８】
　したがって，本発明の実施形態では２ビットを用いてＵＥにどんなＲＥ（Resource Element）がＣＲＳのために使用されるかと，ＰＤＳＣＨが転送されるＯＦＤＭシンボルの位置情報をＵＥに転送することができ，具体的に，以下の＜表２＞のような情報がＵＥに転送される。
　【００５９】
　　【表２】
　【００６０】
　
ネットワークは＜表２＞に示すように，２ビットで表現可能な４個の状態（state）別に異なるＣＲＳ構成とＰＤＳＣＨ開始位置（PDSCH starting position）を上位シグナリングで予め設定して置くことができる。そして，ネットワークは上記４個の２ビットに対する情報をＰＤＣＣＨまたはＥ−ＰＤＣＣＨでＵＥに転送することによって，ＵＥがどんな無線資源を使用してＰＤＳＣＨを受信するかを判断できるようにする。
　【００６１】
　＜表２＞で，ＣＲＳ構成はＣＲＳが幾つのアンテナポートからなっているかと，どんなv_shift値を有するかに対する情報を含む。また，ＭＢＳＦＮ構成はどのサブフレームがＭＢＳＦＮサブフレームであるかに対する情報を含む。
　【００６２】
　本発明の実施形態で提案するＰＤＳＣＨ開始位置を判断する方法は，次の３種類の方法を含む。次の３種類の方法は，ＵＥがＰＤＳＣＨ開始位置を判断できるようにする方法であって，ＣＲＳ構成と関連した情報は別途の方法によりＵＥに転送されると仮定する。
　【００６３】
　ＰＤＳＣＨ開始位置を判断できるようにする最初の方法は，
ネットワークがＰＤＣＣＨ／Ｅ−ＰＤＣＣＨを用いてＵＥにＰＤＳＣＨ開始位置を決定できるようにする情報を転送する方法である
　【００６４】
　　【表３】
　【００６５】
　
＜表３＞に表れたＰＤＳＣＨ開始位置に対する情報は総４個の状態（state）を含むので，ＰＤＳＣＨ開始位置に対する情報は２ビットでＵＥに転送できる。
（中略）
　【００８９】
　次の＜表６＞は，
本発明の実施形態に従って，ＰＤＳＣＨ開始位置の以外にＭＢＳＦＮサブフレーム構成，ＣＲＳ構成などに対する情報を含むＣｏＭＰ制御情報を表した表である
　【００９０】
　　【表６】
」
（２）　判断
　本願請求項２に係る発明は，本願請求項１に係る発明の，
　「上位階層シグナリングを介して物理ダウンリンク共有チャンネル（ＰＤＳＣＨ）の複数の開始位置に対応する複数の値を含む構成情報を受信するステップと，
　物理ダウンリンク制御チャンネル（ＰＤＣＣＨ）で前記ＰＤＳＣＨの複数の値のうちの一つの値を示す情報フィールドを含むダウンリンク制御情報を受信するステップと，
　前記情報フィールドによって示される前記一つの値に基づいて，前記ＰＤＳＣＨの開始位置を決定するステップと」
との発明特定事項に加え，「前記複数の値は」，「セル特定基準信号（ＣＲＳ）構成及びＭＢＳＦＮサブフレーム構成の少なくとも一つに関連する」ことを発明特定事項とするものである。したがって，請求項２に係る発明における「前記複数の値」は，「物理ダウンリンク共有チャンネル（ＰＤＳＣＨ）の複数の開始位置に対応」し，かつ，「セル特定基準信号（ＣＲＳ）構成及びＭＢＳＦＮサブフレーム構成の少なくとも一つに関連する」ものと認める。
　これに対し，【００５７】−【００６１】に記載された実施例（以下「実施例Ａ」という。），及び，【００８９】−【００９０】に記載された実施例（以下「実施例Ｃ」という。）では，ＰＤＣＣＨ等でＵＥに転送する２ビットの値で表される状態のうち，２及び３では，ＰＤＳＣＨの開始位置を上位シグナリングで予め設定し，０ではＰＣＦＩＣＨ（【表２】，【表６】）又はＣＩＦ（【表６】）で示される値に従うものである。すなわち，０で表される状態の場合は，ＰＤＳＣＨの開始位置を得るための
方法
値
一つの値を示す
　一方，【００６２】−【００６５】に記載された実施例（以下「実施例Ｂ」という。）では，ＰＤＣＣＨ（物理ダウンリンク制御チャンネル）等でＵＥに転送する２ビットで表現可能な０−３の各状態が，ＰＤＳＣＨの開始位置のＯＦＤＭシンボルと対応している。したがって，実施例Ａは本願請求項２に係る発明の，「前記複数の値」は，「物理ダウンリンク共有チャンネル（ＰＤＳＣＨ）の複数の開始位置に対応」し，「物理ダウンリンク制御チャンネル（ＰＤＣＣＨ）で前記ＰＤＳＣＨの複数の値のうちの
一つの値を示す
　しかしながら，本願請求項２に係る発明の「前記複数の値は」，「セル特定基準信号（ＣＲＳ）構成及びＭＢＳＦＮサブフレーム構成の少なくとも一つに関連する」との事項に対応する発明の詳細な説明の記載は，前記実施例Ａ，Ｃのみである。そして，前記実施例Ａ，Ｃと前記実施例Ｂは状態０の時の処理が大きく異なるため，両者は組合せ可能なものでもない。
　よって，本願請求項２に係る発明は発明の詳細な説明に記載したものでない。
　ここで，平成３１年３月１１日付け手続補正書による補正により，平成３０年１２月６日付け拒絶理由通知でサポート要件の拒絶理由を通知した点に係る，請求項１に係る発明の「複数の開始位置を確認するための情報」との事項が「複数の開始位置に対応する複数の値」と補正されたが，請求項１に係る発明を引用する請求項２に係る発明に関して，依然として，前記補正された点に係る事項と，発明の詳細な説明の記載との対応関係が不明である。
（３）まとめ
　以上のとおり，本件補正による請求項２の記載は，依然として特許法第３６条第６項第１号に規定する要件を満していない。
２　進歩性について
（１）　本願発明
　本願請求項１に記載された発明（以下「本願発明」という。）は，前記第２で摘記した，請求項１に記載したとおりのものと認める。
（２）　引用発明
ア　引用例４
　当審拒絶理由で引用された本願の優先日前に電気通信回線を通じて公衆に利用可能となった，NTT DOCOMO, Investigation of Specification Impact for Rel. 11 CoMP（当審仮訳：「Rel. 11 CoMPのための仕様への影響の調査」）, 3GPP TSG RAN WG1 #66 R1-112600, 2011.8.16掲載, URL: http://www.3gpp.org/ftp/tsg_ran/WG1_RL1/TSGR1_66/Docs/R1-112600.zip」（以下「引用例４」という。）には，図面とともに，次の記載がある。
「2.3.PDSCH Starting Symbol Mismatch Avoidance for JP-CoMP
For JP-CoMP, the starting position of the PDSCH for the CoMP UE might not be aligned to that of CoMP transmission points as shown in Fig. 4 [8]. 
There are several approaches to resolve PDSCH starting symbol mismatch as summarized below. 
●Transparent approach 
　○Extension carrier, if defined 
　○Single cell ID CoMP 
　○Fix CoMP PDSCH starting position 
●Non-transparent approach 
　○Dynamic/semi-static CoMP PDSCH starting position signaling [8] 
 Figure 5 shows an example of a fix for the CoMP PDSCH starting position. In this approach, the PDSCH transmission of JP-CoMP can be transparent to the CoMP UE. However, this will cause significant spectral efficiency loss due to the wide range of CoMP PDSCH mapping restrictions similar to when the CRS OFDM symbols are not used. Figure 6 shows an example of a dynamic CoMP PDSCH starting position signaling approach. In this approach, DCI signals the CoMP UE regarding the PDSCH starting position. Table 2 summarizes these CoMP PDSCH starting position mismatch avoidance approaches for JP-CoMP. 
」（第３／５ページ第１行−第１６行）
（当審仮訳：
2.3.  JP-CoMPのPDSCH開始シンボルミスマッチの回避
　JP-CoMPのために，CoMP UEのためのPDSCHの開始位置は図４に見られるようにCoMP転送点の開始位置に整列されないかも知れない[8]。
　下記にまとめたようにPDSCH開始シンボルのミスマッチを解決するための幾つかのアプローチがある。
（図４　−　JP-CoMPのPDSCH開始シンボルミスマッチ）
●透明アプローチ
　○定義できるのであれば，キャリアの拡張
　○単一のセルIDでのCoMP
　○CoMP PDSCH開始位置の固定
●非透明アプローチ
　○
動的／半静的 CoMP PDSCH開始位置シグナリング
　図５はCoMP PDSCH開始位置の固定の例を示す。このアプローチでは，JP-CoMPのPDSCH伝送はそのCoMP UEへ透明でありえる。しかしながら，これはCRS OFDMシンボルが用いられない場合と同様にCoMP PDSCHマッピングの広い帯域の制限のために多大なスペクトルの効率損失を引き起こす。図６は動的CoMP PDSCH開始位置シグナリングアプローチの一例を示す。このアプローチでは，DCIはPDSCH開始位置に関してCoMP UEにシグナリングする。表２にこれらのJP-CoMPのためのCoMP PDSCH開始位置のミスマッチ回避アプローチをまとめる。
図５　−　固定CoMP PDSCH開始位置
図６　−　動的CoMP PDSCH開始位置シグナリング
表２　−　JP-CoMPのためのPDSCH開始位置ミスマッチ回避アプローチ（表２の訳は省略する。））
　引用例４は，「DCIはPDSCH開始位置に関してCoMP UEにシグナリングする」ことから，明らかにCoMP UEがデータを受信する方法について記載されている。また，DCIはPDCCHでeNBからUEにシグナリングされることが当業者の技術常識であるから，引用例４はUEが，動的／半静的にPDCCHでPDSCHの開始位置を示すDCIがシグナリングされることが記載されているといえる。また，UEが前記PDSCHの開始位置に基づいて，前記PDSCHでデータを受信することも当業者の技術常識より明らかである。
　以上より，引用例４には以下の発明（以下，「引用発明」という。）が記載されているものと認める。
　「CoMP UEがデータを受信する方法であって，
　動的／半静的にPDCCHでPDSCHの開始位置を示すDCIがシグナリングされるステップと，
　前記PDSCHの開始位置に基づいて，PDSCHのデータを受信するステップとを含むデータ受信方法。」
イ　引用例５
　当審拒絶理由で引用された本願の優先日前に電気通信回線を通じて公衆に利用可能となった，3GPP, 3rd Generation Partnership Project; Technical Specification Group Radio Access Network; Evolved Universal Terrestrial Radio Access (E-UTRA); Physical layer procedures (Release 10), 3GPP TS 36.213 V10.0.0 (2010-12), 2010.12.22掲載, URL: http://www.3gpp.org/ftp/Specs/archive/36_series/36.213/36213-a00.zip（以下「引用例５」という。）には，図面とともに，次の記載がある。
（ア）「8.2 UE sounding procedure
A UE shall transmit Sounding Reference Symbol (SRS) on per serving cell SRS resources based on two trigger types: 
- trigger type 0: higher layer signalling 
- trigger type 1: UL DCI formats.  
A UE may be configured with SRS parameters for trigger type 0 and trigger type 1 on each serving cell. The following SRS parameters are serving cell specific and semi-statically configurable by higher layers for trigger type 0 and for trigger type 1.
（中略）
For trigger type 1 and DCI format 4 three sets of SRS parameters are configured by higher layer signalling. The SRS request field in DCI format 4 indicates the SRS parameter set given in Table 8.1-1. For trigger type 1 and DCI format 0 a single set of SRS parameters is configured by higher layer signalling. 
」（第６９ページ第４行−第２２行）
　（当審仮訳：
　8.2 UEサウンディング手順
　UEは以下の２つのトリガータイプに基づくサービングセルのSRS資源毎のサウンディング参照シンボル(SRS)を送信することになっている。
- トリガータイプ０：上位層シグナリング
- トリガータイプ１：UL DCIフォーマット
　UEはそれぞれのサービングセル上でトリガータイプ０とトリガータイプ１のためのSRSパラメータを用いて構成されるであろう。次に掲げるSRSパラメータはサービングセル特有であり，トリガータイプ０のためとトリガータイプ１のために上位層により半静的に構成されうる。
（中略）
　トリガータイプ１とDCIフォーマット４のために，SRSパラメータの３つの集合が上位層シグナリングにより構成される。DCIフォーマット４中のSRS要求フィールドは表8.1-1で与えられるSRSパラメータ集合を示す。トリガータイプ１とDCIフォーマット０のために，SRSパラメータの一つの集合が上位層シグナリングにより構成される。
表8.1-1: DCIフォーマット4におけるトリガータイプ1のためのSRSリクエスト値（表8.1-1の訳については省略する。））
（イ）「9.2 PDCCH validation for semi-persistent scheduling
（中略）
For the case that the DCI format indicates a semi-persistent downlink scheduling activation, the TPC command for PUCCH field shall be used as an index to one of the four PUCCH resource indices configured by higher layers, with the mapping defined in Table 9.2-2
」（第８２ページ第８行−第８３ページ第３行）
　（当審仮訳：
　9.2 半持続的スケジューリングのためのPDCCH検証
（中略）
　DCIフォーマットが半持続的ダウンンリンクスケジューリングの活性化を示す場合のために，PUCCHフィールドのためのそのTPCコマンドは，表9.2-2に定義されるマッピングで，上位層により構成される４つのPUCCHリソースインデックスのうちの一つのインデックスとして用いられることになっている。
表9.2-2: ダウンリンクの準持続的スケジューリングのためのPUCCHリソースインデックス（表9.2-2の訳については省略する。））
（ウ）「10 Physical uplink control channel procedures
10.1UE procedure for determining physical uplink control channel assignment
（中略）
For FDD with more than one configured serving cell and PUCCH format 3, the UE shall use PUCCH resource   or   for transmission of HARQ-ACK in subframe   on antenna port p where
（中略）
-for a PDSCH transmission on the secondary cell indicated by the detection of a corresponding PDCCH in subframe n-4, the UE shall use PUCCH format 3 and PUCCH resource n(3,p)PUCCH with the value of n(3,p)PUCCH is determined according to higher layer configuration and Table 10.1-1d. The TPC command for PUCCH field in the DCI format of the corresponding PDCCH shall be used to determine the PUCCH resource values from one of the four resource values configured by higher layers, with the mapping defined in Table 10.1-1d. A UE shall assume that the same HARQ-ACK PUCCH resource value is transmitted on all PDCCH assignments corresponding to secondary cells.
」
（第８４ページ第１行−第８９ページ第２行）
　（当審仮訳：
　10 物理アップリンク制御チャネル手順
　1.1 物理アップリンク制御チャネル割当て決定のためのUE手順
（中略）
　サブフレームn-4において，関連するPDCCHの探知によって指示されるそのセカンダリセル上のPDSCH伝送のために，そのUEはPUCCHフォーマット３と表10.1-1dと上位層構成に従って決定されるPUCCHリソースn(3,p)PUCCHのその値と共にPUCCHリソースn(3,p)PUCCHを用いる。対応するPDCCHのDCIフォーマット中のPUCCHフィールドのためのTPCコマンドは，表10.1-1dで定義されたマッピングと共に，上位層で構成された４つのリソース値のうちの一つからそのPUCCHリソース値を決定するために用いられることになっている。UEは対応するセカンダリセルのすべてのPDCCH割当て上で同じHARQ-ACK PUCCHリソース値が伝送されることになっている。
表10.1-1d: PUCCHのHARQ-ACKリソースのためのPUCCHリソース値（表10.1-1dの訳については省略する。））
　前記（ア）より，引用例５には，Sounding Reference Symbol(SRS)の構成を，タイプ１のSRSトリガ及びDCIフォーマット4を使用する場合，上位層によって構成された３つのSRSパラメータ集合のうち，どれを用いるかを，DCIフォーマット4のSRS要求フィールドによって示す技術が記載されている。
　また，前記（イ）より，引用例５には，ダウンリンクの準持続的スケジューリングのためのPUCCHリソースインデックスの割当てを，上位層で構成されたリソースインデックスのうちDCIフォーマットのPUCCHのためのTPCコマンドをインデックスとして使用するものが記載されている。
　また，（ウ）より，引用例５には，PUCCHのためのHARQ-ACKリソースのためのPUCCHリソース値の決定のために上位層で構成されたPUCCHリソース値のうちDCIフォーマットのPUCCHのためのTPCコマンドをインデックスとして使用するものが記載されている。
　また，当業者の技術常識より，上位層シグナリングによりUEに対し何らかのものが
構成される
構成情報が与えられる
（３）　対比・判断
　本願発明と引用発明を対比すると，以下のとおりとなる。
　引用発明の「CoMP UE」は，ＣｏＭＰ方式をサポートする無線通信システムにおけるものであることは明らかであり，また，ＵＥは受信機能を有することから，受信機とも言える。よって，引用発明の「CoMP UE」は，本願発明の「ＣｏＭＰ方式をサポートする無線通信システムにおける受信機」に相当する。そして，引用発明の「CoMP UEがデータを受信する方法」は，本願発明の「ＣｏＭＰ方式をサポートする無線通信システムにおける受信機がデータを受信する方法」に相当する。
　引用発明の「PDCCH」，「PDSCH」，「DCI」は，それぞれ，本願発明の「物理ダウンリンク制御チャンネル（ＰＤＣＣＨ）」，「物理ダウンリンク共有チャンネル（ＰＤＳＣＨ）」，「ダウンリンク制御情報」に相当する。
　当業者の技術常識より，UEにPDSCHの開始位置を示すDCIがシグナリングされることは，ＰＤＳＣＨの開始位置に関するダウンリンク制御情報を受信することを意味するから，引用発明の「動的／半静的にPDCCHでPDSCHの開始位置を示すDCIがシグナリングされるステップ」と，本願発明の「物理ダウンリンク制御チャンネル（ＰＤＣＣＨ）で前記ＰＤＳＣＨの複数の値のうちの一つの値を示す情報フィールドを含むダウンリンク制御情報を受信するステップ」とでは，「物理ダウンリンク制御チャンネル（ＰＤＣＣＨ）で前記ＰＤＳＣＨの開始位置に関するダウンリンク制御情報を受信するステップ」との点で共通する。
　引用発明の「前記PDSCHの開始位置に基づいて，PDSCHのデータを受信するステップ」と，本願発明の「前記決定された開始位置に基づいて、前記ＰＤＳＣＨでデータを受信するステップ」とでは，「前記ＰＤＳＣＨの開始位置に基づいて、前記ＰＤＳＣＨでデータを受信するステップ」との点で共通する。
　してみれば，本願発明と引用発明とでは以下の点で一致する。
「ＣｏＭＰ方式をサポートする無線通信システムにおける受信機がデータを受信する方法であって，
　物理ダウンリンク制御チャンネル（ＰＤＣＣＨ）で前記ＰＤＳＣＨの開始位置に関するダウンリンク制御情報を受信するステップと，
　前記開始位置に基づいて、前記ＰＤＳＣＨでデータを受信するステップとを含むことを特徴とするデータ受信方法。」
　そして，本願発明と引用発明は，以下の点で相違する。
相違点
　本願発明が「上位階層シグナリングを介して物理ダウンリンク共有チャンネル（ＰＤＳＣＨ）の複数の開始位置に対応する複数の値を含む構成情報を受信するステップ」，「物理ダウンリンク制御チャンネル（ＰＤＣＣＨ）で前記ＰＤＳＣＨの複数の値のうちの一つの値を示す情報フィールドを含むダウンリンク制御情報を受信するステップ」、「前記情報フィールドによって示される前記一つの値に基づいて、前記ＰＤＳＣＨの開始位置を決定するステップ」，「前記決定された開始位置に基づいて、前記ＰＤＳＣＨでデータを受信するステップ」を含むのに対し，引用発明は，「上位階層シグナリングを介して物理ダウンリンク共有チャンネル（ＰＤＳＣＨ）の複数の開始位置に対応する複数の値を含む構成情報を受信するステップ」を備えておらず，関連して，物理ダウンリンク制御チャンネル（ＰＤＣＣＨ）で
前記ＰＤＳＣＨの複数の値のうちの一つの値
前記一つの値に基づいて
決定する
前記決定された
相違点について
　前記（２）イで検討したとおり，「UEに対して，上位層シグナリングにより何らかの複数の構成情報が与えられ，PDCCHのDCIフォーマットで与えられる値により当該複数の構成情報から使用する構成が与えられ，UEが当該構成を使用する。」ことは常とう手段である。
　してみれば，前記常とう手段より，引用発明の「動的／半静的に PDSCH開始位置を決定する」手段として，上位階層シグナリングにより構成情報である複数のPDSCH開始位置を与え，PDCCHのDCIフォーマットで与えられる値により当該複数の構成情報から使用する構成が与えられ，UEが当該構成を使用する旨決定することは，当業者が容易に想到することができた事項である。すなわち，引用発明の「動的／半静的にPDCCHでPDSCHの開始位置を示すDCIがシグナリングされるステップ」のより具体的な実現手段として，引用例５に記載された前記常とう手段を採用し，「上位階層シグナリングを介して物理ダウンリンク共有チャンネル（ＰＤＳＣＨ）の複数の開始位置に対応する複数の値を含む構成情報を受信するステップ」を設け，あわせて，「物理ダウンリンク制御チャンネル（ＰＤＣＣＨ）で
前記ＰＤＳＣＨの複数の値のうちの一つの値
前記一つの値に基づいて
決定する
前記決定された
　よって，本願発明は，引用例４，５に基づき，当業者が容易に想到することができたものである。
（４）　まとめ
　　以上のとおり，本願発明は，特許法第２９条第２項の規定により特許を受けることができない。
第５　むすび
　以上のとおり，本願は，特許法第３６条第６項第１項に規定する要件を満していない。
　また，本願発明は，特許法第２９条第２項の規定により特許を受けることができない。
　したがって，他の請求項に係る発明について検討するまでもなく，本願は拒絶すべきものである。
　よって，結論のとおり審決する。